(57)【要約】【課題】鞄に掛けられ傘を保持した状態において、保持された傘の先端が地面等に接触しにくい鞄取付式傘ホルダーを提供する。【解決手段】傘ホルダー１は、取付部１０と、本体部２０と、保持部３０とを備える。本体部２０は、取付部１０が掛けられた状態での持ち手８１の基準線８１αによって区画される第一、第二領域２１，２２を有する。第一の姿勢は、傘９０の柄９０ａが基準線８１αに対して第一領域２１側に位置すると共に、傘９０の先端９０ｂが基準線８１αに対して第二領域２２側に位置するように傘９０を基準線８１αに対して傾斜した状態で保持する姿勢である。第二の姿勢は、傘９０の柄９０ａが基準線８１αに対して第二領域２２側に位置すると共に、傘９０の先端９０ｂが基準線８１αに対して第一領域２１側に位置するように傘９０を基準線８１αに対して傾斜した状態で保持する姿勢である。【選択図】図６
2018019965.tif 000002
【特許請求の範囲】
【請求項１】
鞄の持ち手に掛けることができる取付部と、
前記取付部が鞄の持ち手に掛けられた状態で、該取付部に吊り下げられる本体部と、
前記本体部に、少なくとも二つの姿勢で選択的に配置可能な保持部であって、閉じた傘を保持可能な保持部と、を備え、
前記本体部は、前記取付部が掛けられた状態での鞄の持ち手の中央を通り且つ鞄の持ち手の基部を結ぶ仮想線に直交する基準線によって区画される第一領域及び第二領域を有し、
前記少なくとも二つの姿勢のうち第一の姿勢は、傘の柄が前記基準線に対して前記第一領域側に位置すると共に、傘の先端が前記基準線に対して前記第二領域側に位置するように傘を前記基準線に対して傾斜した状態で保持する姿勢であり、
前記少なくとも二つの姿勢のうち第二の姿勢は、傘の柄が前記基準線に対して前記第二領域側に位置すると共に、傘の先端が前記基準線に対して前記第一領域側に位置するように傘を前記基準線に対して傾斜した状態で保持する姿勢である、鞄取付式傘ホルダー。
【請求項２】
前記本体部は、着脱可能な一対の面ファスナの一方を有し、
前記保持部は、前記一対の面ファスナの他方を有し、
前記一対の面ファスナの着脱により、前記保持部を前記本体部に前記少なくとも二つの姿勢で選択的に配置できる、請求項１に記載の鞄取付式傘ホルダー。
【請求項３】
前記保持部は、前記本体部の表面に沿って回動可能に該本体部に対して取り付けられている、請求項１又は２に記載の鞄取付式傘ホルダー。
【請求項４】
前記取付部は、前記本体部から延び、且つ、互いの先端側の部位同士が取り外し可能に係合する第一取付部材及び第二取付部材を有し、
前記第一取付部材及び第二取付部材の少なくとも一方の少なくとも一部は、柔軟性を有し、
前記第一取付部材及び第二取付部材は、互いに係合する部位の係合位置、又は、互いに係合する部位の係合面積を変えることで、前記第一取付部材の基端から前記第二取付部材の基端までの長さを変更できる、請求項１乃至３のいずれか１項に記載の鞄取付式傘ホルダー。
【請求項５】
前記本体部は、所定の方向に延びる第一本体部と、所定の方向に延び且つ前記第一本体部を含む平面に沿って回動できるようにその一端が該第一本体部の一端に取り付けられた第二本体部と、前記第一本体部から前記第二本体部に向かって延びる第三本体部と、前記第二本体部から前記第一本体部に向かって延びる第四本体部とを有し、
前記第一取付部材は、前記第一本体部の他端から延び、
前記第二取付部材は、前記第二本体部の他端から延び、
前記第三本体部の先端側の部位と前記第四本体部の先端側の部位とは、互いに係合可能であり、
前記第三本体部及び第四本体部において、互いに係合する部位の係合位置、又は、互いに係合する部位の係合面積を変えることで、前記第一本体部の他端と前記第二本体部の他端との間の距離を変更できる、請求項４に記載の鞄取付式傘ホルダー。
【請求項６】
互いに係合した状態の前記第三本体部及び第四本体部が内側を挿通するように、前記保持部とともに前記第三本体部及び第四本体部を囲む囲繞部材を備える、請求項５に記載の鞄取付式傘ホルダー。
【請求項７】
前記本体部は、帯状の第一本体部材及び第二本体部材を有し、
前記第二本体部材は、前記第一本体部材を含む平面に沿って回動可能に該第一本体部材に取り付けられ、
前記第一取付部材は、前記第一本体部材から延び、
前記第二取付部材は、前記第二本体部材から延び、
前記第一本体部材及び第二本体部材は、回動によって重ね合わせ可能である、請求項４に記載の鞄取付式傘ホルダー。
【請求項８】
前記第一取付部材、前記第二取付部材、前記第一本体部材、前記第二本体部材、及び前記保持部は、長尺状であり、
前記第二本体部材の一端は、前記第一本体部材の一端に回動可能に取り付けられ、
前記第一取付部材は、前記第一本体部材の他端から延び、
前記第二取付部材は、前記第二本体部材の他端から延び、
前記第一取付部材、前記第二取付部材、及び前記保持部は、重ね合わされた状態の前記第一本体部材及び第二本体部材に対して重ね合わせ可能である、請求項７に記載の鞄取付式傘ホルダー。
【発明の詳細な説明】
【技術分野】
【０００１】
本発明は、鞄に取り付ける鞄取付式傘ホルダーに関する。
【背景技術】
【０００２】
従来、閉じた傘を鞄に取り付けて携行するために、傘を保持可能な傘ホルダーであって、鞄の持ち手に取り付け可能な鞄取付式の傘ホルダーが用いられている（例えば、特許文献１参照）。この傘ホルダーは、鞄に掛けることができる連結具と、連結具が鞄に取り付けられた状態において連結具に吊り下げられる基体と、基体に配置されると共に、鞄の持ち手の中央を通り且つ鞄の持ち手の基部を結ぶ仮想線に直交する基準線に沿った姿勢となるように閉じた傘を保持するベルトとを備える。
【先行技術文献】
【特許文献】
【０００３】
【特許文献１】特開２０００−１４４３７号公報
【発明の概要】
【発明が解決しようとする課題】
【０００４】
しかしながら、この傘ホルダーを鞄に掛けてベルトで傘を保持すると、鞄が手等に吊り下げられた状態で傘が垂直方向を向くため、傘の先端（傘の柄と反対側の端部）が、地面や床に接触しやすく、破損するおそれがあった。
【０００５】
本発明は、斯かる実情に鑑み、鞄に掛けられ傘を保持した状態において、保持された傘の先端が地面等に接触しにくい鞄取付式傘ホルダーを提供するものである。
【課題を解決するための手段】
【０００６】
本発明にかかる鞄取付式傘ホルダーは、鞄の持ち手に掛けることができる取付部と、前記取付部が鞄の持ち手に掛けられた状態で、該取付部に吊り下げられる本体部と、前記本体部に、少なくとも二つの姿勢で選択的に配置可能な保持部であって、閉じた傘を保持可能な保持部と、を備え、前記本体部は、前記取付部が掛けられた状態での鞄の持ち手の中央を通り且つ鞄の持ち手の基部を結ぶ仮想線に直交する基準線によって区画される第一領域及び第二領域を有し、前記少なくとも二つの姿勢のうち第一の姿勢は、傘の柄が前記基準線に対して前記第一領域側に位置すると共に、傘の先端が前記基準線に対して前記第二領域側に位置するように傘を前記基準線に対して傾斜した状態で保持する姿勢であり、前記少なくとも二つの姿勢のうち第二の姿勢は、傘の柄が前記基準線に対して前記第二領域側に位置すると共に、傘の先端が前記基準線に対して前記第一領域側に位置するように傘を前記基準線に対して傾斜した状態で保持する姿勢である、ことを特徴とする。
【０００７】
上記構成の鞄取付式傘ホルダーによれば、保持部が第一、及び第二の姿勢で傘を保持できるため、鞄の持ち手の基準線に対して傾斜した姿勢で傘が鞄に対して保持され、これにより、傘の先端が地面等に接触しにくくなる。しかも、上記構成の鞄取付式傘ホルダーによれば、鞄を右手と左手とで持ち替えたとしても、保持部の姿勢を第一の姿勢と第二の姿勢との間で切り替えることで、傘の柄の位置を、鞄を持つ人の前方側又は後方側のうち好みの位置に変化させることができる。
【０００８】
前記鞄取付式傘ホルダーでは、前記本体部は、着脱可能な一対の面ファスナの一方を有し、前記保持部は、前記一対の面ファスナの他方を有し、前記一対の面ファスナの着脱により、前記保持部を前記本体部に前記少なくとも二つの姿勢で選択的に配置してもよい。
【０００９】
上記構成の鞄取付式傘ホルダーによれば、面ファスナの着脱により、保持部の姿勢を容易に変更することができる。
【００１０】
前記鞄取付式傘ホルダーでは、前記保持部は、前記本体部の表面に沿って回動可能に該本体部に対して取り付けられていてもよい。
【００１１】
上記構成の鞄取付式傘ホルダーによれば、保持部が本体部の表面に沿って回動可能に取り付けられているため、傘を保持した状態の保持部の落下を防ぎつつ、回動によって保持部の姿勢を変更できる。さらに、保持部が本体部に対して取り付けられていることで、保持部の紛失を防ぐこともできる。
【００１２】
前記鞄取付式傘ホルダーでは、前記取付部は、前記本体部から延び、且つ、互いの先端側の部位同士が取り外し可能に係合する第一取付部材及び第二取付部材を有し、前記第一取付部材及び第二取付部材の少なくとも一方の少なくとも一部は、柔軟性を有し、前記第一取付部材及び第二取付部材は、互いに係合する部位の係合位置、又は、互いに係合する部位の係合面積を変えることで、前記第一取付部材の基端から前記第二取付部材の基端までの長さを変更できてもよい。
【００１３】
上記構成の鞄取付式傘ホルダーによれば、取付部の長さ（即ち、第一取付部材の基端から第二取付部材の基端までの長さ）を、鞄の持ち手の幅に合わせて変更できるため、本体部の鞄の持ち手に対する位置を変えることなく、様々な幅の持ち手に取付部を掛けることができる。
【００１４】
前記鞄取付式傘ホルダーでは、所定の方向に延びる第一本体部と、所定の方向に延び且つ前記第一本体部を含む平面に沿って回動できるようにその一端が該第一本体部の一端に取り付けられた第二本体部と、前記第一本体部から前記第二本体部に向かって延びる第三本体部と、前記第二本体部から前記第一本体部に向かって延びる第四本体部とを有し、前記第一取付部材は、前記第一本体部の他端から延び、前記第二取付部材は、前記第二本体部の他端から延び、前記第三本体部の先端側の部位と前記第四本体部の先端側の部位とは、互いに係合可能であり、前記第三本体部及び第四本体部において、互いに係合する部位の係合位置、又は、互いに係合する部位の係合面積を変えることで、前記第一本体部の他端と前記第二本体部の他端との間の距離を変更できる。
【００１５】
上記構成の鞄取付式傘ホルダーによれば、様々な長さに変更可能な取付部に合わせて、第一本体部の他端と第二本体部の他端との距離（取付部の両端の距離）を変更した状態で固定できる。そのため、この距離を変更した状態で固定できない構成と比べて、取付部を安定的に鞄の持ち手に固定することができ、これにより、鞄取付式傘ホルダーを安定的に鞄に取り付けることができる。
【００１６】
上記構成の鞄取付式傘ホルダーでは、さらに、互いに係合した状態の前記第三本体部及び第四本体部が内側を挿通するように、前記保持部とともに前記第三本体部及び第四本体部を囲む囲繞部材を備える。
【００１７】
上記構成の鞄取付式傘ホルダーによれば、保持部及び囲繞部材が、互いに係合した状態の第三本体部及び第四本体部を囲んでいるため、この第三本体部及び第四本体部に沿って保持部を移動させやすい。これにより、保持部の姿勢を変更するために、保持部の本体部における表面に沿った回動が容易になる。
【００１８】
上記構成の鞄取付式傘ホルダーでは、さらに、前記本体部は、帯状の第一本体部材及び第二本体部材を有し、前記第二本体部材は、前記第一本体部材を含む平面に沿って回動可能に該第一本体部材に取り付けられ、前記第一取付部材は、前記第一本体部材から延び、前記第二取付部材は、前記第二本体部材から延び、前記第一本体部材及び第二本体部材は、回動によって重ね合わせ可能であってもよい。
【００１９】
上記構成の鞄取付式傘ホルダーによれば、第一本体部材に対して、第二本体部材を回動させて重ね合わせる（即ち、本体部を折り畳む）ことで本体部を小さくできるため、持ち運び等がしやすくなる。
【００２０】
上記構成の鞄取付式傘ホルダーでは、さらに、前記第一取付部材、前記第二取付部材、前記第一本体部材、前記第二本体部材、及び前記保持部は、長尺状であり、前記第二本体部材の一端は、前記第一本体部材の一端に回動可能に取り付けられ、前記第一取付部材は、前記第一本体部材の他端から延び、前記第二取付部材は、前記第二本体部材の他端から延び、前記第一取付部材、前記第二取付部材、及び前記保持部は、重ね合わされた状態の前記第一本体部材及び第二本体部材に対して重ね合わせ可能であってもよい。
【００２１】
上記構成の鞄取付式傘ホルダーによれば、重ね合わされた状態の第一、第二本体部材に対して、第一、第二取付部材及び保持部をさらに重ね合わせる（即ち、本体部、取付部、及び保持部を折り畳む）ことができ、本体部、取付部、及び保持部が長尺状であるため、折り畳んだ際の幅（本体部等の長尺方向と直交する方向の幅）を狭くできる。
【発明の効果】
【００２２】
本発明の鞄取付式傘ホルダーによれば、鞄に掛けられ傘を保持した状態において、保持された傘の先端が地面等に接触しにくくなる。
【図面の簡単な説明】
【００２３】
【図１】図１は、本発明の一実施形態に係る鞄取付式傘ホルダーの正面図である。
【図２】図２は、本発明の一実施形態に係る鞄取付式傘ホルダーの正面図であって、取付部に設けられる面ファスナ、及び、保持部のベルトに設けられる面ファスナを取り外した状態の正面図である。
【図３】図３は、本発明の一実施形態に係る鞄取付式傘ホルダーの本体部及び保持部を折り畳んだ状態の正面図である。
【図４】図４は、本発明の一実施形態に係る鞄取付式傘ホルダーの本体部及び保持部を折り畳んだ状態の側面図である。
【図５】図５は、本発明の一実施形態に係る鞄取付式傘ホルダーの本体部、取付部、及び保持部を折り畳んだ状態の側面図である。
【図６】図６は、本発明の一実施形態に係る鞄取付式傘ホルダーを鞄に取り付けた状態を示す図であって、第一の姿勢を示す図である。
【図７】図７は、本発明の一実施形態に係る鞄取付式傘ホルダーを鞄に取り付けた状態を示す図であって、第二の姿勢を示す図である。
【図８】図８は、本発明の別の実施形態に係る鞄取付式傘ホルダーの正面図である。
【図９】図９は、本発明の別の実施形態に係る鞄取付式傘ホルダーの正面図である。
【図１０】図１０は、本発明の別の実施形態に係る鞄取付式傘ホルダーの正面図である。
【図１１】図１１は、本発明の別の実施形態に係る鞄取付式傘ホルダーの正面図である。
【発明を実施するための形態】
【００２４】
以下、本発明の一実施形態に係る鞄取付式傘ホルダーについて、図面を参照して説明する。この傘ホルダーは、例えば、手提げ鞄の持ち手に取り付けられる鞄取付式傘ホルダーである。
【００２５】
鞄取付式傘ホルダーは、図１−図４に示すように、鞄の持ち手に掛けることができる取付部１０と、取付部１０が鞄の持ち手に掛けられた状態（図６及び図７参照）で、取付部１０に吊り下げられる本体部２０と、本体部２０に、少なくとも二つの姿勢で選択的に配置可能な保持部３０であって、閉じた傘を保持可能な保持部３０と、を備える。本実施形態の保持部３０は、本体部２０に二つの姿勢で選択的に配置可能である。
【００２６】
本体部２０は、複数の本体部材を有する。本実施形態の本体部２０は、二つの本体部材を有する。また、本実施形態の二つの本体部材は、それぞれ、帯状である。本実施形態では、二つの本体部材として、それぞれ、長尺の板状の第一本体部材２１及び第二本体部材２２が用いられている。また、第二本体部材２２は、第一本体部材２１を含む平面に沿って回動可能に取り付けられる。さらに、第一、第二本体部材２１，２２は、回動により重ね合わせ可能である。このように、第二本体部材２２を第一本体部材２１に対して回動させることで、第一本体部材２１と第二本体部材２２とのなす角度を変更可能である。
【００２７】
具体的には、第一、第二本体部材２１，２２は、それぞれ、保持部３０が配置される長尺状の基部２１ａ，２２ａと、保持部３０を基部２１ａ，２２ａに対して取り外し可能に取り付ける係止部２１ｂ，２２ｂとを有する。本実施形態では、係止部２１ｂ，２２ｂとして面ファスナが用いられている。
【００２８】
基部２１ａ，２２ａは、長尺の板状である。本実施形態の基部２１ａ，２２ａは、プラスチック板である。基部２１ａ，２２ａの長尺方向における長さ、基部２１ａ，２２ａの幅（長尺方向に直交する方向における幅）、及び、基部２１ａ，２２ａの厚みは、それぞれ等しい。基部２２ａは、基部２１ａを含む平面に沿って回動可能に基部２１ａに取り付けられている。具体的には、基部２２ａの一端２２ｃ（取付部１０から遠い端部）は、基部２１ａの一端２１ｃ（取付部１０から遠い端部）に回動可能に取り付けられ、基部２１ａ，２２ａは、回動によって重ね合わせ可能である。例えば、基部２２ａの一端２２ｃは、基部２１ａの一端２１ｃに重ね合わされた状態で、ビス２３により回動可能に取り付けられ、基部２１ａ，２２ａは、回動によって重ね合わせ可能である。
【００２９】
係止部２１ｂ，２２ｂは、長尺形状である。また、係止部２１ｂ，２２ｂは、それぞれ、その長尺方向を基部２１ａ，２２ａの長尺方向と合わせた状態で、基部２１ａ，２２ａにおける取付部１０から近い側の端部２１ｄ，２２ｄに固定されている。
【００３０】
取付部１０は、本体部２０から延び、複数の取付部材を有する。本実施形態の本体部２０は、二つの取付部材を有する。本実施形態では、二つの取付部材として、図２に示すように、第一取付部材１１と第二取付部材１２とが用いられている。本実施形態の第一、第二取付部材１１，１２は、それぞれ、第一、第二本体部材２１，２２から延びる。また、第一、第二取付部材１１，１２は、長尺状である。さらに、第一、第二取付部材１１，１２は、互いの先端側の部位同士が取り外し可能に係合し、第一、第二取付部材１１，１２の少なくとも一方における少なくとも一部は柔軟性を有する。第一、第二取付部材１１，１２は、互いに係合する部位の係合位置、又は、互いに係合する部位の係合面積を変えることで、第一取付部材１１の基端１１ａから第二取付部材１２の基端１２ａまでの長さ、即ち、取付部１０の長さ１０Ｌ（図１における第一、第二取付部１１，１２の延びる方向に沿った取付部１０全体の長さ）を変更できる。
【００３１】
具体的には、第一、第二取付部材１１，１２は、それぞれ、第一、第二本体部材２１，２２側から延びる長尺状の基部１３，１４と、基部１３，１４における先端側の部位にそれぞれ固定されると共に、基部１３，１４同士を取り外し可能に取り付ける係止部１５，１６と、基部１３，１４と第一、第二本体部材２１，２２の基部２１ａ，２２ａを接続する接続部１７，１８とを有する。本実施形態では、第一取付部材１１の係止部１５は、一対の面ファスナの一方を用いると共に、第二取付部材１２の係止部１６としてこの面ファスナの他方を用いる。
【００３２】
基部１３，１４は、長尺状のプラスチック板である。基部１３，１４の長尺方向における長さ、基部１３，１４の幅（長尺方向に直交する方向における幅）、及び、基部１３，１４の厚みは、それぞれ等しい。
【００３３】
係止部１５，１６は、例えば、接着剤により基部１３，１４に固定されている。基部１３，１４における先端側の部位同士は、係止部１５，１６により取り外し可能に係合する。また、基部１３，１４の長尺方向を一致させると共に、基部１４の先端側に基部１３の先端側を重ね合わせた状態で、係止部１５，１６同士を係合させる。このとき、係止部１５，１６を基部１３，１４の長尺方向に重ね合わせる領域の面積を変えることで、係止部１５，１６の係合する部位の係合面積を変えることができる。該係合面積を変えることで、取付部１０の長さ１０Ｌを鞄の持ち手の幅に合わせて変更できる。そのため、本体部２０の鞄の持ち手に対する位置を変えることなく、様々な幅の持ち手に取付部１０を掛けることができる。
【００３４】
本実施形態の接続部１７，１８は、柔軟性を有する部材である。柔軟性を有する部材の材料として、例えば、ナイロン生地が挙げられる。接続部１７，１８は、柔軟性を有するため、折り曲げ可能である。
【００３５】
保持部３０は、本体部２０の表面に沿って回動可能に、本体部２０に対して取り付けられている。保持部３０は、上述のように、本体部２０に対して二つの異なる姿勢で配置可能であり、閉じた傘を保持できる。また、保持部３０は、長尺状の部材である。
【００３６】
具体的には、本実施形態の保持部３０は、長尺状の基部３１と、基部３１における本体部２０に対向する面と反対側の面（以下、「基部３１の表面」と言う）に固定されると共に、閉じた傘を保持可能な収納部３３，３４，３５と、基部３１における本体部２０に対向する面（以下、「基部３１の裏面」と言う）に固定されると共に、収納部３３，３４，３５を本体部２０に取り付ける係止部３２とを有する。収納部３３，３４，３５は、傘を周方向に囲むことで保持できる。この収納部３３，３４，３５は、筒部３３と、筒部３３にそれぞれ固定されると共に、筒部３３の径を絞ることが可能な絞り部３４，３５とを有する。本実施形態では、係止部３２として、第一、第二本体部材１１，１２の係止部２１ｂ，２２ｂと係止可能な面ファスナを用いる。また、絞り部３４，３５としても、面ファスナを用いる。
【００３７】
基部３１は、長尺状のプラスチック板である。基部３１の長尺方向における長さ、基部３１の幅（長尺方向に直交する方向における幅）、及び、基部３１の厚みは、基部２１ａ，２２ａの長さ、幅、及び、厚みとそれぞれ等しい。このように、基部３１の材料は、第一、第二本体部材２１，２２の基部２１ａ，２２ａと同一の材料であり、第一、第二本体部材２１，２２の基部３１の各寸法は、基部２１ａ，２２ａと等しく、基部３１と第一、第二本体部材２１，２２の基部２１ａ，２２ａとは同一の部材である。
【００３８】
本実施形態では、基部３１の一端３１ａ（取付部１０から遠い側の端部）が、第一、第二本体部材２１，２２の一端２１ｃ，２２ｃ（取付部１０から遠い側の端部）に重ね合わされた状態で、ビス２３により回動可能に取り付けられている。これにより、保持部３０は、本体部２０の表面に沿って回動可能となっている。
【００３９】
係止部３２は、基部３１の裏面の少なくとも一部に固定されている。本実施形態では、係止部３２は長尺状である。また、係止部３２は、その長尺方向を基部３１の長尺方向と合わせた状態で、基部３１の裏面における取付部１０から近い側の端部に、例えば、接着剤により固定されている。また、係止部３２は、保持部３０を第一本体部材２１に重ね合わせた状態で、係止部２１ｂと係合可能となるように、各係合面が対向して配置されている。係止部３２と係止部２１ｂとの係合面についても同様である。係止部３２が、第一本体部材２１の係止部２１ｂ又は第二本体部材２２の係止部２２ｂに選択的に着脱することにより、保持部３０の姿勢が本体部２０に対して二つの姿勢（第一の姿勢及び第二の姿勢）の間で切り替えられる。
【００４０】
係止部２１ｂ，２２ｂの幅（係止部２１ｂ，２２ｂの長尺方向と直交する方向の幅）及び係止部３２の幅（係止部３２の長尺方向と直交する方向の幅）は、基部２１ａ，２２ｂ、３１の幅と略等しい。そのため、係止部２１ｂ，２２ｂと係止部３２とを係合させた際に、基部２１ａ，２２ｂ、３１を幅方向の略全体を覆うように係合部位が存在し、これにより、この係合は外れにくい。
【００４１】
また、係止部３２の長尺方向の長さは、第一、第二本体部材２１，２２の係止部２１ｂ，２２ｂの長尺方向の長さよりも短い。そのため、係止部２１ｂ，２２ｂ、３２の重ね合わせ部分における長尺方向の長さがある程度短くなる。これにより、係止部３２の係止部２１ｂ，２２ｂからの取り外しが容易である。
【００４２】
筒部３３は、閉じた傘が挿通される部材であり、本実施形態の筒部３３の材料は、合成樹脂、例えば、ポリ塩化ビニルからなるシートである。筒部３３の径は、取付部１０に近いほど大きく、取付部１０に遠いほど小さくなっている、即ち、筒部３３は、閉じた傘の径に見合った形状となっている。筒部３３は、これを構成するシートの厚みがある程度薄いため、柔軟性を有する。これにより、筒部３３への傘の挿通が容易である。なお、筒部３３は、接着剤により基部３１の表面に固定されている。また、筒部３３の中心線方向の両端部のそれぞれには、筒部３３の端縁から筒部３３の中心線方向の中央部に向かって延びるスリットが形成されている。
【００４３】
絞り部３４，３５は、筒部３３の径を絞ることで、筒部３３に閉じた傘を収納した状態で、傘を筒部３３に固定する部材である。本実施形態では、絞り部３４，３５は、それぞれ、長尺状であり、筒部３３の中心線方向の両端部に固定されている。具体的には、絞り部３４，３５は、それぞれ、筒部３３の中心線方向の両端部に巻きつけられた状態で、接着剤により固定されている。
【００４４】
本実施形態の絞り部３４，３５は、それぞれ、一対の面ファスナ３４ａ，３４ｂ、３５ａ，３５ｂを有する。具体的には、筒部３３に固定された状態における絞り部３４，３５の周方向の両端に、面ファスナ３４ａ，３４ｂ、３５ａ，３５ｂが配置されている。また、絞り部３４の面ファスナ３４ａ，３４ｂは互いに係合可能となるように、各係合面が対向して配置され、絞り部３５の面ファスナ３５ａ，３５ｂも互いに係合可能となるように、各係合面が対向して配置されている。
【００４５】
絞り部３４，３５の係合面積の大きさを調整することで、絞り部３４，３５の内周の長さを変更できる。具体的には、絞り部３４，３５の係合面積を大きくする程、絞り部３４，３５の内周の長さが小さくなる。そのため、筒部３３に傘を挿通した状態で、傘の外周の長さに合わせた係合面積で、絞り部３４を係合すると共に、絞り部３５を係合することで、様々な大きさの傘を筒部３３に対して安定的に固定することができる。
【００４６】
なお、本実施形態では、上述のように、絞り部３４，３５が筒部３３の中心線方向の両端部に固定されているため、筒部３３の中心線方向の両端の径を絞ることができる。このように、傘がその両端において筒部３３に固定されるため、傘を筒部３３に対してさらに安定的に固定することができる。
【００４７】
さらに、筒部３３の中心線方向の両端部には、前記スリットが形成されているため、絞り部３４，３５により筒部３３の中心線方向の両端部を絞る際に、筒部３３を構成するシートが折り畳まれやすい。そのため、絞り部３４，３５により、筒部３３の中心線方向の両端部の径を容易に絞ることができる。
【００４８】
図５に示すように、保持部３０、第一取付部材１１、及び第二取付部材１２は、重ね合わされた状態の第一本体部材２１、第二本体部材２２に重ね合わせ可能である。さらに、取付部１０の接続部１７，１８を折り曲げることで、第一、第二取付部材１１，１２を、重ね合わされた状態の第一、第二本体部材２１，２２及び保持部３０に重ね合わせ可能である。
【００４９】
上述のように、本実施形態では、係止部３２が、基部３１の裏面における取付部１０から近い側の端部に固定されると共に、係止部２１ｂ，２２ｂが、基部２１ａ，２２ａにおける取付部１０から近い側の端部に固定される。そのため、保持部３０の取付部１０から近い側の端部が、第一、第二本体部材２１，２２の取付部１０から近い側の端部に着脱可能である。また、保持部３０の取付部１０から遠い側の端部は、第一、第二本体部材２１，２２の取付部１０から遠い側の端部に取り付けられている。このように、保持部３０は、取付部１０から近い側の端部、及び、遠い側の端部の両方で本体部２０に取り付けられているため、保持部３０を第一、第二本体部材２１，２２の一方に配置した状態で傘を保持させても、傘の重みにより本体部２０から外れにくく、さらに安定的に傘を保持できる。
【００５０】
上述のように、保持部３０は、本体部２０に、少なくとも二つの姿勢で選択的に配置可能であり、本実施形態では、二つの姿勢で選択的に配置可能である。以下、この姿勢について、図６、図７を用いて説明する。
【００５１】
本体部２０は、取付部１０が持ち手８１に掛けられた状態において、鞄８０の持ち手８１の中央を通り且つ鞄８０の基部を結ぶ仮想線に直交する基準線８１αによって区画される第一領域及び第二領域を有する。本実施形態の本体部２０では、第一本体部材２１が第一領域に相当すると共に、第二本体部材２２が第二領域に相当する。
【００５２】
第一の姿勢は、図６に示すように、傘９０の柄９０ａが基準線８１αに対して第一本体部材２１側（第一領域側）に位置すると共に、傘９０の先端９０ｂが基準線８１αに対して第二本体部材２２側（第二領域側）に位置するように、傘９０を基準線８１αに対して傾斜した状態で保持する保持部３０の姿勢である。第一の姿勢では、傘９０の柄９０ａは、左手で鞄８０を持つ人の後方側に位置する。
【００５３】
第二の姿勢は、図７に示すように、傘９０の柄９０ａが基準線８１αに対して第二本体部材２２側（第二領域側）に位置すると共に、傘９０の先端９０ｂが基準線８１αに対して第一本体部材２１側（第一領域側）に位置するように、傘９０を基準線８１αに対して傾斜した状態で保持する保持部３０の姿勢である。第二の姿勢では、傘９０の柄９０ａは、左手で鞄８０を持つ人の前方側に位置する。
【００５４】
なお、ここでいう傘９０の先端９０ｂとは、傘９０における柄９０ａと反対側の端部を言う。
【００５５】
本実施形態に係る鞄取付式傘ホルダー１は、以上の通りである。続いて、上記構成の傘ホルダー１の作用及び効果について説明する。
【００５６】
鞄取付式傘ホルダー１によれば、保持部３０が第一、第二の姿勢で傘９０を保持できるため、鞄８０の持ち手８１の基準線８１αに対して傾斜した姿勢で傘９０が鞄８０に対して保持される。これにより、傘９０の先端９０ｂが地面等に接触しにくくなる。しかも、鞄取付式傘ホルダー１によれば、鞄８０を右手と左手とで持ち替えたとしても、保持部３０の姿勢を第一、第二の姿勢との間で切り替えることで、傘９０の柄９０ａの位置を、鞄８０を持つ人の前方側又は後方側のうち好みの位置に変化させることができる。
【００５７】
鞄取付式傘ホルダー１によれば、本体部２０が係止部２１ｂ，２２ｂを有し、保持部３０が係止部３２を有すると共に、係止部２１ｂ，２２ｂと係止部３２との着脱が容易である。そのため、この係止部２１ｂ，２２ｂと係止部３２との着脱により、保持部３０の姿勢を容易に変更することができる。
【００５８】
鞄取付式傘ホルダー１によれば、保持部３０が本体部２０の表面に沿って回動可能に取り付けられている。このため、傘９０を保持した状態の保持部３０の落下を防ぎつつ、回動によって保持部３０の姿勢を変更できる。さらに、保持部３０が本体部２０に対して取り付けられていることで、保持部３０の紛失を防ぐこともできる。
【００５９】
鞄取付式傘ホルダー１によれば、取付部１０の長さ１０Ｌ（即ち、第一取付部材１１の基端１１ａから第二取付部材１２の基端１２ａまでの長さ）を、鞄８０の持ち手８１の幅に合わせて変更できる。このため、本体部２０の鞄８０の持ち手８１に対する位置を変えることなく、様々な幅の持ち手８１に取付部１０を掛けることができる。
【００６０】
鞄取付式傘ホルダー１によれば、第一本体部材２１に対して、第二本体部材２２を回動させて重ね合わせる（即ち、本体部２０を折り畳む）ことで、本体部２０を小さくできる。このため、鞄取付式傘ホルダー１の持ち運び等がしやすくなる。
【００６１】
鞄取付式傘ホルダー１は、重ね合わされた状態の第一、第二本体部材２１，２２に対して、第一、第二取付部材１１，１２及び保持部３０をさらに重ね合わせる（即ち、取付部１０、本体部２０、及び保持部３０を折り畳む）ことができる。取付部１０、本体部２０、及び保持部３０が長尺状であるため、折り畳んだ際の幅（本体部２０等の長尺方向と直交する方向（図３における水平方向）の幅）を狭くできる。
【００６２】
鞄取付式傘ホルダー１では、基部２１ａの一端２１ｃ（取付部１０から遠い側の端部）、基部２２ａの一端２２ｃ（取付部１０から遠い側の端部）、及び、基部３１の一端３１ａ（取付部１０から遠い側の端部）が接続されると共に、保持部３０の端部（取付部１０から遠い側の端部）を回動中心として回動可能に取り付けられている。このように、鞄取付式傘ホルダー１では、保持部３０の回動中心が高い位置に存在するため、保持部３０の姿勢を容易に変更することができる。
【００６３】
なお、本発明にかかる鞄取付式傘ホルダーは、上記実施形態の構成に限定されるものではなく、本発明の要旨を逸脱しない範囲で種々の変更が可能である。
【００６４】
上記実施形態では、本体部２０の第一、第二本体部材２１，２２は、それぞれ板状であったが、帯状であればよい。例えば、第一、第二本体部材は、それぞれ、布製の袋と、袋の内側に設けられた針金のような芯材とを有してもよい。この場合、第一、第二本体部材は剛性を有するため、傘を保持部に差し込んだ状態であっても、本体部の形状が保たれる。また、第一、第二本体部材の軽量化を図ることができる。
【００６５】
上記実施形態では、傘９０を第一、第二の姿勢という二種類の姿勢で選択的に保持したが、三以上の複数の姿勢で選択的に保持してもよい。
【００６６】
例えば、図８に示すように、本体部１２０は、所定の方向に延びる第一本体部１２１と、所定の方向に延びる第二本体部１２２と、第一本体部１２１から第二本体部１２２に向かって延びる第三本体部１２３と、第二本体部１２２から第一本体部１２１に向かって延びる第四本体部１２４とを有する。本実施形態では、第一本体部１２１、第二本体部１２２、第三本体部１２３、及び、第四本体部１２４はそれぞれ帯状である。また、本実施形態の第一本体部１２１及び第二本体部１２２は、それぞれ、長尺状の基部１２１ａ，１２２ａを有している。
【００６７】
本実施形態では、第三本体部１２３の一端１２３ｃは、第一本体部１２１の他端１２１ｄに取り付けられ、第四本体部１２４の一端１２４ｃは、第二本体部１２２の他端１２２ｄに取り付けられている。なお、第三本体部１２３及び第四本体部１２４は、それぞれ、第一本体部１２１の他端１２１ｄよりも中央側、第二本体部１２２の他端１２２ｄよりも中央側に取り付けられていてもよい。
【００６８】
また、本実施形態では、第一本体部１２１及び第三本体部１２３が個別に形成されると共に、第二本体部１２２及び第四本体部１２４が個別に形成されているが、これらのうち少なくとも一方が一体的に形成されていてもよい。
【００６９】
第一取付部材１１は、第一本体部１２１の他端１２１ｄから延びる。同様に、第二取付部材１２は、第二本体部１２２の他端１２２ｄから延びる。
【００７０】
第二本体部１２２が第一本体部１２１を含む平面に沿って回動できるように、第二本体部１２２の一端１２２ｃは、第一本体部１２１の一端１２１ｃに取り付けられている。第二本体部１２２が第一本体部１２１に対して回動することで、第一本体部１２１と第二本体部１２２とのなす角度が変化する。
【００７１】
本実施形態の第三本体部１２３及び第四本体部１２４は、それぞれ、基部１２３ａ，１２４ａと、係止部１２３ｂ，１２４ｂとを有する。係止部１２３ｂ，１２４ｂにより、保持部３０が基部１２３ａ，１２４ａに対して取り外し可能に取り付けられる。これにより、保持部３０を本体部１２０に取り付ける姿勢を変更することができる。本実施形態の係止部１２３ｂ，１２４ｂは、例えば、面ファスナである。
【００７２】
また、本実施形態では、第三本体部１２３の先端側の部位１２３ｄと第四本体部１２４の先端側の部位１２４ｄとは、互いに係合可能である。本実施形態の第三本体部１２３は、第四本体部１２４に重ね合わせた状態で取り付け可能であり、第三本体部１２３の基部１２３ａにおける第四本体部１２４と対向する面には、係止部１２４ｂと係合可能な係止部（図示なし）が設けられている。具体的には、第三本体部１２３の基部１２３ａにおける裏面（図８における紙面に対して反対側の面）全体に、面ファスナからなる係止部（図示なし）が設けられている。
【００７３】
本実施形態では、第三本体部１２３に保持部３０を取り付けるための係止部１２３ｂが、第三本体部１２３と第四本体部１２４とを互いに係合させる係止部を兼ねている。そのため、このような係止部が個別に形成される場合と比べて、部品点数が少なくなり、傘取付式ホルダー１０１の組み立てコストが抑えられる。
【００７４】
本実施形態では、第三本体部１２３及び第四本体部１２４におけるこの長尺方向と交差する方向の長さは、第一本体部１２１及び第二本体部１２２におけるこの長尺方向と交差する方向の長さよりも長い。また、係止部１２３ｂ，１２４ｂは、第三本体部１２３の基部１２３ａ及び第四本体部１２４の基部１２４ａの略全体を覆うように広く形成されている。そのため、保持部３０を第三本体部１２３及び第四本体部１２４に対して安定的に取り付けることができる。
【００７５】
本実施形態では、第三本体部１２３及び第四本体部１２４において、互いに係合する部位１２３ｄ，１２４ｄの係合位置、又は、互いに係合する部位１２３ｄ，１２４ｄの係合面積を変えることができる。これにより、第一本体部１２１の他端１２１ｄと第二本体部１２２の他端１２２ｄとの間の距離（取付部１０の両端の距離）を変更した状態で固定できる。即ち、様々な長さに変更可能な取付部１０に合わせて、第一本体部１２１の他端１２１ｄと第二本体部１２２の他端１２２ｄとの距離を変更した状態で固定できる。そのため、この距離を変更した状態で固定できない構成と比べて、取付部１０を安定的に鞄８０の持ち手８１に固定することができ、これにより、鞄取付式傘ホルダー１０１を安定的に鞄８０に取り付けることができる。
【００７６】
なお、係止部１２１ｂ，１２２ｂをホック、ボタン、マグネット等とし、係止部１２１ｂと係合可能な係止部も同様にすることで、第一、第二本体部１２１，１２２における互いに係合する部位の係合位置を変化させて、本体部１２０の長さを変更してもよい。
【００７７】
また、第三本体部１２３に保持部を取り付けるための係止部と、第三本体部１２３及び第四本体部１２４を互いに係合する係止部とが個別に形成されてもよい。この場合、例えば、一方の係止部を面ファスナとし、他方の係止部をボタンとすることが可能であるため、傘取付式ホルダーの設計の自由度が高くなる。
【００７８】
例えば、係止部１２１ｂ，１２２ｂは、一体であってもよい。図９に示すように、係止部２２２ｂにおける基準線８１αで分けられた一方（第一本体部材２１から基準線８１αまで基準線８１αと直交する方向に延びる部分）と、係止部２２２ｂにおける基準線８１αで分けられた他方（第二本体部材２２から基準線８１αまで基準線８１αと直交する方向に延びる部分）とが一体であってもよい。係止部２２２ｂは、例えば、面ファスナである。また、図１０に示すように、本体部３２０は、板状の本体部材３２１と、本体部材３２１全面を被覆する係止部３２０ａとを有してもよい。本体部材３２１は、例えば、角丸四角形状のプラスチック板である。係止部３２０ａは、例えば、面ファスナである。
【００７９】
このような鞄取付式傘ホルダー１０１、２０１、３０１であれば、保持部３０を、三以上の複数の姿勢で選択的に保持することができ、これにより、傘９０の姿勢を細かく変化させることができる。例えば、図８、図９では、ビス２３を回動中心として、保持部３０を回動させて任意の位置（基準線８１αに対して任意の角度）で本体部１２０，２２０と係合できる。このように傘９０の姿勢を細かく変化させることにより、傘９０の柄９０ａの位置を、鞄８０を持つ人の好みの位置に合わせることができる。
【００８０】
また、図８に示すように、囲繞部材１２５は、互いに係合した状態の第三本体部１２３及び第四本体部１２４が内側を挿通するように、保持部３０とともに第三本体部１２３及び第四本体部１２４を囲んでいる。囲繞部材１２５は、例えば、帯状であり柔軟性を有する。本実施形態の囲繞部材１２５は、環状である。具体的には、囲繞部材１２５の一部は、保持部３０の収納部３３の内側に位置し、囲繞部材１２５の残部は、基部３１に設けられた二つの貫通孔（符号なし）を通って、第三本体部１２３及び第四本体部１２４の裏側（図８における紙面の反対側）に位置している。
【００８１】
一方、保持部３０は、第一本体部１２１を含む平面に沿って、ビス２３を回動中心にして回動可能である。この保持部３０が回動したときの囲繞部材１２５の軌跡に合わせて、係合した状態の第三本体部１２３及び第四本体部１２４の形状を変化することができるよう、第三本体部１２３は第一本体部１２１に対して回動可能に取り付けられると共に、第四本体部１２４は第二本体部１２２に対して回動可能に取り付けられている。具体的には、第三本体部１２３及び第一本体部１２１、第四本体部１２４及び第二本体部１２２は、それぞれビス１２６ａ，１２６ｂにより、第一本体部１２１を含む平面に沿って回動可能に取り付けられている。
【００８２】
本実施形態の囲繞部材１２５における保持部３０の基部３１に沿った方向の長さは、第三本体部１２３及び第四本体部１２４におけるこの長尺方向と交差する方向の長さよりも長い。これにより、係合した状態の第三本体部１２３及び第四本体部１２４の形状を図８における上に凸の形状や下に凸の形状としても、囲繞部材１２５及び保持部３０の移動が第三本体部１２３及び第四本体部１２４により遮られることを防止できる。
【００８３】
上記構成の鞄取付式傘ホルダー１０１によれば、保持部３０及び囲繞部材１２５が、互いに係合した状態の第三本体部１２３及び第四本体部１２４を囲んでいるため、第三本体部１２３及び第四本体部１２４に沿って保持部３０を移動させやすい。これにより、保持部３０の姿勢を変更するために、保持部３０を本体部１２０の表面に沿った回動が容易になる。しかも、保持部３０が傘の重みにより本体部１２０の表面から外側に倒れようとしても、囲繞部材１２５が保持部３０を支えるため、保持部３０が本体部１２０の表面から外側に倒れる（本体部１２０の表面から浮き上がる）ことを防止できる。
【００８４】
なお、本体部２０が、第一本体部１２１から保持部３０の外側（本体部１２０と反対側）を通って第二本体部１２２まで延びる支持部材を有してもよい。この場合であっても、保持部３０が傘の重みにより本体部２０の表面から外側に倒れようとしても、支持部材が保持部３０を支えるため、保持部３０が本体部２０の表面から外側に倒れる（本体部２０の表面から浮き上がる）ことを防止できる。支持部材は、例えば、柔軟性を有する帯状の部材である。上記実施形態では、支持部材は、第一本体部１２１の他端１２１ｄ（取付部１０に近い側の端部）から、第二本体部１２２の他端１２２ｄ（取付部１０に近い側の端部）まで延びることが好ましい。
【００８５】
上記実施形態では、保持部３０が第一、第二本体部材２１，２２にビス２３により取り付けられていたため、保持部３０が第一、第二本体部材２１，２２から取り外し不可であったが、例えば、図１０に示すように、保持部３０が本体部３２０から取り外し可能であってもよい。この場合、保持部３０を本体部３２０から取り外せるため、保持部３０を取り外して洗浄することができ、保持部３０を清潔に保つことができる。
【００８６】
上記実施形態では、第一、第二取付部材１１，１２が、それぞれ、第一、第二本体部材２１，２２から延びていたが、第一、第二取付部材１１，１２の両方が、本体部における一箇所から延びていてもよい。例えば、図１１に示すように、第一、第二取付部材１１，１２の両方が、本体部４２０における一箇所から延びていてもよい。この場合であっても、取付部１０の長さを、鞄８０の持ち手８１の幅に合わせて変更できる。このため、本体部４２０の鞄８０の持ち手８１に対する位置を変えることなく、様々な幅の持ち手８１に取付部１０を掛けることができる。
【００８７】
上記実施形態では、本体部２０は、二つの本体部材として第一、第二本体部材２１，２２を有していたが、三つ以上、又は、一つの本体部材を有してもよい。例えば、鞄取付式傘ホルダー４０１では、本体部４２０が、一つの本体部材に相当する三角環状の本体部材４２１と、面ファスナ（符号なし）とを有する。本体部４２０が一つの本体部材４２１を有していれば、本体部を構成する部材の数が少なくなるため、本体部４２０の組み立てコストを抑えることができる。
【００８８】
さらに、上記実施形態では、保持部３０が、本体部２０における取付部１０から遠い側の端部に対して、回動可能に取り付けられていたが、保持部３０が、本体部４２０における取付部１０から近い側の端部に対して、回動可能に取り付けられていてもよい。
【００８９】
例えば、鞄取付式傘ホルダー４０１では、第一、第二取付部材１１，１２の基端側の端部（符号なし）、本体部４２０における取付部１０から近い側の端部、及び保持部３０における取付部１０から近い側の端部が接続されている。具体的には、保持部３０における取付部１０から近い側の端部は、第一、第二取付部材１１，１２の基端側の端部及び本体部材４２１における取付部１０から近い側の端部に対して、重ね合わされた状態で、ビス２３により回動可能に取り付けられている。なお、保持部は、本体部における端部以外の部分、例えば、本体部における中央部分に対して、回動可能に取り付けられていてもよい。
【００９０】
このような場合であっても、保持部３０が第一、第二の姿勢で傘９０を保持できるため、鞄８０の持ち手８１の基準線８１αに対して傾斜した姿勢で傘９０が鞄８０に対して保持される。これにより、傘９０の先端９０ｂが地面等に接触しにくくなる。しかも、鞄８０を右手と左手とで持ち替えたとしても、保持部３０の姿勢を第一、第二の姿勢の間で切り替えることで、傘９０の柄９０ａの位置を、鞄８０を持つ人の前方側又は後方側のうち好みの位置に変化させることができる。
【００９１】
また、保持部３０が、本体部４２０における取付部から近い側の端部に対して、保持部３０における取付部１０から近い側の端部を回動中心として回動可能に取り付けられている場合、傘９０の先端９０ｂと回動中心との距離が大きいため、持ち手の基準線に対して同じ角度で傘を傾斜させても、傘９０の先端９０ｂを高い位置で保持することができる。従って、本体部における取付部から近い側の端部に回動可能に取り付けられている場合、傘９０の先端９０ｂが地面等に接触しにくくなる。
【００９２】
上記実施形態では、保持部３０が配置される基部２１ａ，２２ａは、プラスチック板のような所定の剛性を有する部材であったが、柔軟性を有する部材であってもよい。柔軟性を有する部材の材料は、限定されないが、例えば、ナイロン生地が挙げられる。第一、第二本体部材２１，２２が柔軟性を有する場合、本体部をさらに容易に折り畳むことができる。
【００９３】
上記実施形態では、保持部３０を本体部２０に取り外し可能に取り付ける係止部として、面ファスナを用いたが、ホック、ボタン、マグネット等を用いてもよい。
【００９４】
上記実施形態では、第一、第二取付部材１１，１２が同一の部材であったが、異なる部材であってもよい。例えば、第一、第二取付部材の一方が面ファスナのみで構成され、他方が面ファスナの固定されたプラスチック板で構成されてもよい。この構成では、第一、第二取付部材の両方が、それぞれ、プラスチック板、面ファスナ、及びナイロン生地を有する場合よりも、部品点数が減るため軽量化を図ることができると共に、第一、第二取付部材の一方がプラスチック板を有しているため、取付部の強度をある程度確保することができる。
【００９５】
上記実施形態では、取付部１０の長さが調節可能であったが、これに限らず、取付部１０の長さが固定であってもよい。
【００９６】
上記実施形態では、取付部１０における第一、第二取付部材１１，１２を係合する係止部として、面ファスナを用いたが、ホック、ボタン、マグネット等を用いてもよい。第一、第二取付部１１，１２自体が、それぞれ、面ファスナであってもよい。
【００９７】
また、第一、第二取付部材１１，１２をこの長尺方向にスライドさせることで、取付部の長さが調節可能であってもよい。この場合、第一、第二取付部材１１，１２は、例えば、ラチェット機構等により、取付部の長さが任意の長さとなる箇所で留められてもよい。
【００９８】
さらに、取付部１０全体を、布、樹脂製の紐、金属製の鎖等で構成してもよい。このような取付部であっても、取付部の長さを鞄の持ち手の幅に合わせて変更できるため、本体部の鞄の持ち手に対する位置を変えることなく、様々な幅の持ち手に取付部を掛けることができる。
【００９９】
なお、取付部全体を、布、樹脂製の紐で構成した場合、取付部全体が柔軟性を有する。このように全体が柔軟性を有する取付部は、変形しやすいため、鞄の持ち手に取り付けやすい。
【０１００】
上記実施形態の保持部３０では、面ファスナを有する絞り部３４，３５の係合面積の大きさを調整したが、面ファスナの代わりに、ホック、ボタン、マグネット等を絞り部に用いて、絞り部の一端と他端との係合部位の係合位置を異ならせてもよい。
【０１０１】
また、絞り部として、弾性材料で構成されると共に、中心軸方向の一端から他端まで延びるスリットが設けられた筒部を用いてもよい。これらの構成であっても、絞り部や筒部の内周の長さを変更できるため、様々な大きさの傘を保持部に固定することができる。
【０１０２】
上記実施形態では、保持部３０の中心軸方向の両端に絞り部３４，３５を固定したが、保持部３０における他の位置に絞り部を固定してもよい。なお、絞り部の数は、一つであってもよいし、複数であってもよい。例えば、保持部に一つの絞り部を固定する場合、保持部における中心軸方向の中央付近で、絞り部を固定することが好ましい。これにより、傘を保持部に安定的に固定することができる。
【０１０３】
なお、保持部３０として、弾性材料で構成されると共に、中心軸方向の一端から他端まで延びるスリットが設けられた筒部を用いてもよい。この保持部に傘を差し込んでも、保持部に傘が保持できる。
【０１０４】
上記実施形態の筒部３３の材料は、例えば、ポリ塩化ビニルからなるシートであったが、筒部の一部及び全体の材料が、伸縮性を有するシートであってもよい。具体的には、シートは、伸縮性を有する繊維からなってもよい。このような筒部は、絞り部を有していなくてもよい。この場合であっても、傘の太さに合わせて筒部の径の大きさを変化できるため、筒部に傘が保持できる。
【０１０５】
上記実施形態では、取付部１０の接続部１７，１８を折り曲げることで、第一、第二取付部材１１、１２を、重ね合わされた状態の第一、第二本体部材２１，２２及び保持部３０に重ね合わせ可能であったが、さらに、折り曲げた接続部と第一、第二本体部材とが着脱可能となるように、例えば、一対の面ファスナの一方を接続部に設けると共に、一対の面ファスナの他方を第一、第二本体部材に設けてもよい。この構成であれば、重ね合わせた状態で取付部と本体部とを固定可能であるため、折り畳んだ状態の鞄取付式傘ホルダーを持ち運びやすい。
【０１０６】
上記実施形態では、鞄取付式傘ホルダー１の取付け対象となる鞄８０は手提げ鞄であったが、これに限らず、肩掛け鞄、スーツケース等の他の鞄であってもよい。このような鞄取付式傘ホルダー１によれば、例えば、肩掛け鞄のように持ち手の幅が広くても、持ち手の基準線に対して傾斜した姿勢で、傘を保持することができる。
【符号の説明】
【０１０７】
１…鞄取付式傘ホルダー、１０…取付部、２０…本体部、２１…第一本体部材（第一領域）、２２…第二本体部材（第二領域）、３０…保持部、鞄…８０、持ち手…８１、基準線…８１α、傘…９０、柄…９０ａ、先端…９０ｂ
【図１】
2018019965.tif 000003
【図２】
2018019965.tif 000004
【図３】
2018019965.tif 000005
【図４】
2018019965.tif 000006
【図５】
2018019965.tif 000007
【図６】
2018019965.tif 000008
【図７】
2018019965.tif 000009
【図８】
2018019965.tif 000010
【図９】
2018019965.tif 000011
【図１０】
2018019965.tif 000012
【図１１】
2018019965.tif 000013
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
鞄の持ち手に掛けることができる取付部と、
前記取付部が鞄の持ち手に掛けられた状態で、該取付部に吊り下げられる本体部であって、着脱可能な一対の面ファスナの一方を有する本体部と、
前記本体部に、少なくとも二つの姿勢で選択的に配置可能で且つ閉じた傘を保持可能な保持部であって、前記一対の面ファスナの他方を有する保持部と、を備え、
前記本体部は、前記取付部が掛けられた状態での鞄の持ち手の中央を通り且つ鞄の持ち手の基部を結ぶ仮想線に直交する基準線によって区画される第一領域及び第二領域を有し、
前記少なくとも二つの姿勢のうち第一の姿勢は、傘の柄が前記基準線に対して前記第一領域側に位置すると共に、傘の先端が前記基準線に対して前記第二領域側に位置するように傘を前記基準線に対して傾斜した状態で保持する姿勢であり、
前記少なくとも二つの姿勢のうち第二の姿勢は、傘の柄が前記基準線に対して前記第二領域側に位置すると共に、傘の先端が前記基準線に対して前記第一領域側に位置するように傘を前記基準線に対して傾斜した状態で保持する姿勢であり、
前記一対の面ファスナの着脱により、前記保持部を前記本体部に前記少なくとも二つの姿勢で選択的に配置できる、鞄取付式傘ホルダー。
【請求項２】
前記保持部は、前記本体部の表面に沿って回動可能に該本体部に対して取り付けられている、請求項１に記載の鞄取付式傘ホルダー。
【請求項３】
前記取付部は、前記本体部から延び、且つ、互いの先端側の部位同士が取り外し可能に係合する第一取付部材及び第二取付部材を有し、
前記第一取付部材及び第二取付部材の少なくとも一方の少なくとも一部は、柔軟性を有し、
前記第一取付部材及び第二取付部材は、互いに係合する部位の係合位置、又は、互いに係合する部位の係合面積を変えることで、前記第一取付部材の基端から前記第二取付部材の基端までの長さを変更できる、請求項１又は２に記載の鞄取付式傘ホルダー。
【請求項４】
鞄の持ち手に掛けることができる取付部と、
前記取付部が鞄の持ち手に掛けられた状態で、該取付部に吊り下げられる本体部であって、所定の方向に延びる第一本体部、所定の方向に延び且つ前記第一本体部を含む平面に沿って回動できるようにその一端が該第一本体部の一端に取り付けられた第二本体部、前記第一本体部から前記第二本体部に向かって延びる第三本体部、及び前記第二本体部から前記第一本体部に向かって延びる第四本体部を有する本体部と、
前記本体部に、少なくとも二つの姿勢で選択的に配置可能な保持部であって、閉じた傘を保持可能な保持部と、を備え、
前記本体部は、前記取付部が掛けられた状態での鞄の持ち手の中央を通り且つ鞄の持ち手の基部を結ぶ仮想線に直交する基準線によって区画される第一領域及び第二領域を有し、
前記少なくとも二つの姿勢のうち第一の姿勢は、傘の柄が前記基準線に対して前記第一領域側に位置すると共に、傘の先端が前記基準線に対して前記第二領域側に位置するように傘を前記基準線に対して傾斜した状態で保持する姿勢であり、
前記少なくとも二つの姿勢のうち第二の姿勢は、傘の柄が前記基準線に対して前記第二領域側に位置すると共に、傘の先端が前記基準線に対して前記第一領域側に位置するように傘を前記基準線に対して傾斜した状態で保持する姿勢であり、
前記取付部は、前記本体部から延び、且つ、互いの先端側の部位同士が取り外し可能に係合する第一取付部材及び第二取付部材を有し、
前記第一取付部材は、前記第一本体部の他端から延び、
前記第二取付部材は、前記第二本体部の他端から延び、
前記第一取付部材及び第二取付部材の少なくとも一方の少なくとも一部は、柔軟性を有し、
前記第一取付部材及び第二取付部材は、互いに係合する部位の係合位置、又は、互いに係合する部位の係合面積を変えることで、前記第一取付部材の基端から前記第二取付部材の基端までの長さを変更でき、
前記第三本体部の先端側の部位と前記第四本体部の先端側の部位とは、互いに係合可能であり、
前記第三本体部及び第四本体部において、互いに係合する部位の係合位置、又は、互いに係合する部位の係合面積を変えることで、前記第一本体部の他端と前記第二本体部の他端との間の距離を変更できる、鞄取付式傘ホルダー。
【請求項５】
互いに係合した状態の前記第三本体部及び第四本体部が内側を挿通するように、前記保持部とともに前記第三本体部及び第四本体部を囲む囲繞部材を備える、請求項４に記載の鞄取付式傘ホルダー。
【請求項６】
鞄の持ち手に掛けることができる取付部と、
前記取付部が鞄の持ち手に掛けられた状態で、該取付部に吊り下げられる本体部であって、帯状の第一本体部材及び第二本体部材を有する本体部と、
前記本体部に、少なくとも二つの姿勢で選択的に配置可能な保持部であって、閉じた傘を保持可能な保持部と、を備え、
前記本体部は、前記取付部が掛けられた状態での鞄の持ち手の中央を通り且つ鞄の持ち手の基部を結ぶ仮想線に直交する基準線によって区画される第一領域及び第二領域を有し、
前記少なくとも二つの姿勢のうち第一の姿勢は、傘の柄が前記基準線に対して前記第一領域側に位置すると共に、傘の先端が前記基準線に対して前記第二領域側に位置するように傘を前記基準線に対して傾斜した状態で保持する姿勢であり、
前記少なくとも二つの姿勢のうち第二の姿勢は、傘の柄が前記基準線に対して前記第二領域側に位置すると共に、傘の先端が前記基準線に対して前記第一領域側に位置するように傘を前記基準線に対して傾斜した状態で保持する姿勢であり、
前記第二本体部材は、前記第一本体部材を含む平面に沿って回動可能に該第一本体部材に取り付けられ、
前記取付部は、前記本体部から延び、且つ、互いの先端側の部位同士が取り外し可能に係合する第一取付部材及び第二取付部材を有し、
前記第一取付部材は、前記第一本体部材から延び、
前記第二取付部材は、前記第二本体部材から延び、
前記第一取付部材及び第二取付部材の少なくとも一方の少なくとも一部は、柔軟性を有し、
前記第一取付部材及び第二取付部材は、互いに係合する部位の係合位置、又は、互いに係合する部位の係合面積を変えることで、前記第一取付部材の基端から前記第二取付部材の基端までの長さを変更でき、
前記第一本体部材及び第二本体部材は、回動によって重ね合わせ可能である、鞄取付式傘ホルダー。
【請求項７】
前記第一取付部材、前記第二取付部材、前記第一本体部材、前記第二本体部材、及び前記保持部は、長尺状であり、
前記第二本体部材の一端は、前記第一本体部材の一端に回動可能に取り付けられ、
前記第一取付部材は、前記第一本体部材の他端から延び、
前記第二取付部材は、前記第二本体部材の他端から延び、
前記第一取付部材、前記第二取付部材、及び前記保持部は、重ね合わされた状態の前記第一本体部材及び第二本体部材に対して重ね合わせ可能である、請求項６に記載の鞄取付式傘ホルダー。
【手続補正２】
【補正対象書類名】明細書
【補正対象項目名】０００６
【補正方法】変更
【補正の内容】
【０００６】
本発明にかかる鞄取付式傘ホルダーは、鞄の持ち手に掛けることができる取付部と、前記取付部が鞄の持ち手に掛けられた状態で、該取付部に吊り下げられる本体部であって、着脱可能な一対の面ファスナの一方を有する本体部と、前記本体部に、少なくとも二つの姿勢で選択的に配置可能で且つ閉じた傘を保持可能な保持部であって、前記一対の面ファスナの他方を有する保持部と、を備え、前記本体部は、前記取付部が掛けられた状態での鞄の持ち手の中央を通り且つ鞄の持ち手の基部を結ぶ仮想線に直交する基準線によって区画される第一領域及び第二領域を有し、前記少なくとも二つの姿勢のうち第一の姿勢は、傘の柄が前記基準線に対して前記第一領域側に位置すると共に、傘の先端が前記基準線に対して前記第二領域側に位置するように傘を前記基準線に対して傾斜した状態で保持する姿勢であり、前記少なくとも二つの姿勢のうち第二の姿勢は、傘の柄が前記基準線に対して前記第二領域側に位置すると共に、傘の先端が前記基準線に対して前記第一領域側に位置するように傘を前記基準線に対して傾斜した状態で保持する姿勢であり、前記一対の面ファスナの着脱により、前記保持部を前記本体部に前記少なくとも二つの姿勢で選択的に配置できる、ことを特徴とする。
【手続補正３】
【補正対象書類名】明細書
【補正対象項目名】０００７
【補正方法】変更
【補正の内容】
【０００７】
上記構成の鞄取付式傘ホルダーによれば、保持部が第一、及び第二の姿勢で傘を保持できるため、鞄の持ち手の基準線に対して傾斜した姿勢で傘が鞄に対して保持され、これにより、傘の先端が地面等に接触しにくくなる。しかも、上記構成の鞄取付式傘ホルダーによれば、鞄を右手と左手とで持ち替えたとしても、保持部の姿勢を第一の姿勢と第二の姿勢との間で切り替えることで、傘の柄の位置を、鞄を持つ人の前方側又は後方側のうち好みの位置に変化させることができる。
また、上記構成の鞄取付式傘ホルダーによれば、面ファスナの着脱により、保持部の姿勢を容易に変更することができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１４
【補正方法】変更
【補正の内容】
【００１４】
本発明にかかる鞄取付式傘ホルダーは、鞄の持ち手に掛けることができる取付部と、前記取付部が鞄の持ち手に掛けられた状態で、該取付部に吊り下げられる本体部であって、所定の方向に延びる第一本体部、所定の方向に延び且つ前記第一本体部を含む平面に沿って回動できるようにその一端が該第一本体部の一端に取り付けられた第二本体部、前記第一本体部から前記第二本体部に向かって延びる第三本体部、及び前記第二本体部から前記第一本体部に向かって延びる第四本体部を有する本体部と、前記本体部に、少なくとも二つの姿勢で選択的に配置可能な保持部であって、閉じた傘を保持可能な保持部と、を備え、前記本体部は、前記取付部が掛けられた状態での鞄の持ち手の中央を通り且つ鞄の持ち手の基部を結ぶ仮想線に直交する基準線によって区画される第一領域及び第二領域を有し、前記少なくとも二つの姿勢のうち第一の姿勢は、傘の柄が前記基準線に対して前記第一領域側に位置すると共に、傘の先端が前記基準線に対して前記第二領域側に位置するように傘を前記基準線に対して傾斜した状態で保持する姿勢であり、前記少なくとも二つの姿勢のうち第二の姿勢は、傘の柄が前記基準線に対して前記第二領域側に位置すると共に、傘の先端が前記基準線に対して前記第一領域側に位置するように傘を前記基準線に対して傾斜した状態で保持する姿勢であり、前記取付部は、前記本体部から延び、且つ、互いの先端側の部位同士が取り外し可能に係合する第一取付部材及び第二取付部材を有し、前記第一取付部材は、前記第一本体部の他端から延び、前記第二取付部材は、前記第二本体部の他端から延び、前記第一取付部材及び第二取付部材の少なくとも一方の少なくとも一部は、柔軟性を有し、前記第一取付部材及び第二取付部材は、互いに係合する部位の係合位置、又は、互いに係合する部位の係合面積を変えることで、前記第一取付部材の基端から前記第二取付部材の基端までの長さを変更でき、前記第三本体部の先端側の部位と前記第四本体部の先端側の部位とは、互いに係合可能であり、前記第三本体部及び第四本体部において、互いに係合する部位の係合位置、又は、互いに係合する部位の係合面積を変えることで、前記第一本体部の他端と前記第二本体部の他端との間の距離を変更できる、ことを特徴とする。
【手続補正７】
【補正対象書類名】明細書
【補正対象項目名】００１５
【補正方法】変更
【補正の内容】
【００１５】
上記構成の鞄取付式傘ホルダーによれば、保持部が第一、及び第二の姿勢で傘を保持できるため、鞄の持ち手の基準線に対して傾斜した姿勢で傘が鞄に対して保持され、これにより、傘の先端が地面等に接触しにくくなる。しかも、上記構成の鞄取付式傘ホルダーによれば、鞄を右手と左手とで持ち替えたとしても、保持部の姿勢を第一の姿勢と第二の姿勢との間で切り替えることで、傘の柄の位置を、鞄を持つ人の前方側又は後方側のうち好みの位置に変化させることができる。
また、上記構成の鞄取付式傘ホルダーによれば、様々な長さに変更可能な取付部に合わせて、第一本体部の他端と第二本体部の他端との距離（取付部の両端の距離）を変更した状態で固定できる。そのため、この距離を変更した状態で固定できない構成と比べて、取付部を安定的に鞄の持ち手に固定することができ、これにより、鞄取付式傘ホルダーを安定的に鞄に取り付けることができる。
【手続補正８】
【補正対象書類名】明細書
【補正対象項目名】００１８
【補正方法】変更
【補正の内容】
【００１８】
本発明にかかる鞄取付式傘ホルダーは、鞄の持ち手に掛けることができる取付部と、前記取付部が鞄の持ち手に掛けられた状態で、該取付部に吊り下げられる本体部であって、帯状の第一本体部材及び第二本体部材を有する本体部と、前記本体部に、少なくとも二つの姿勢で選択的に配置可能な保持部であって、閉じた傘を保持可能な保持部と、を備え、前記本体部は、前記取付部が掛けられた状態での鞄の持ち手の中央を通り且つ鞄の持ち手の基部を結ぶ仮想線に直交する基準線によって区画される第一領域及び第二領域を有し、前記少なくとも二つの姿勢のうち第一の姿勢は、傘の柄が前記基準線に対して前記第一領域側に位置すると共に、傘の先端が前記基準線に対して前記第二領域側に位置するように傘を前記基準線に対して傾斜した状態で保持する姿勢であり、前記少なくとも二つの姿勢のうち第二の姿勢は、傘の柄が前記基準線に対して前記第二領域側に位置すると共に、傘の先端が前記基準線に対して前記第一領域側に位置するように傘を前記基準線に対して傾斜した状態で保持する姿勢であり、前記第二本体部材は、前記第一本体部材を含む平面に沿って回動可能に該第一本体部材に取り付けられ、前記取付部は、前記本体部から延び、且つ、互いの先端側の部位同士が取り外し可能に係合する第一取付部材及び第二取付部材を有し、前記第一取付部材は、前記第一本体部材から延び、前記第二取付部材は、前記第二本体部材から延び、前記第一取付部材及び第二取付部材の少なくとも一方の少なくとも一部は、柔軟性を有し、前記第一取付部材及び第二取付部材は、互いに係合する部位の係合位置、又は、互いに係合する部位の係合面積を変えることで、前記第一取付部材の基端から前記第二取付部材の基端までの長さを変更でき、前記第一本体部材及び第二本体部材は、回動によって重ね合わせ可能である、ことを特徴とする。
【手続補正９】
【補正対象書類名】明細書
【補正対象項目名】００１９
【補正方法】変更
【補正の内容】
【００１９】
上記構成の鞄取付式傘ホルダーによれば、保持部が第一、及び第二の姿勢で傘を保持できるため、鞄の持ち手の基準線に対して傾斜した姿勢で傘が鞄に対して保持され、これにより、傘の先端が地面等に接触しにくくなる。しかも、上記構成の鞄取付式傘ホルダーによれば、鞄を右手と左手とで持ち替えたとしても、保持部の姿勢を第一の姿勢と第二の姿勢との間で切り替えることで、傘の柄の位置を、鞄を持つ人の前方側又は後方側のうち好みの位置に変化させることができる。
また、上記構成の鞄取付式傘ホルダーによれば、第一本体部材に対して、第二本体部材を回動させて重ね合わせる（即ち、本体部を折り畳む）ことで本体部を小さくできるため、持ち運び等がしやすくなる。